(57)【要約】【課題】  ブレスレットやネックレスのように紐状体の止め具であり、外観美がよく、取り付け・取り外しが容易で取れ外し時においても爪等を傷つけることのない紐状体の止め具を提供する。【解決手段】  紐状体の止め具１は鉤状係止部５を有する第１の係止部３と鉤状係止部５の屈曲部５ａに着脱自在に係着するピン６ｂを有する第２の係止部４とからなる。係着時にはカバー状係止部７で全体を覆うことにより外観美の向上も図れる。【選択図】  図１
0003122790.tif 000002
【実用新案登録請求の範囲】
【請求項１】
ブレスレットやネックレスのような紐状体の止め具であって、該止め具は前記紐状体の一端部に基端側を枢支され先端側に鉤状係止部を形成する第１の係止部と、前記紐状体の他端部に基端側を枢支され先端側に前記鉤状係止部に係止するピン状係止部を有すると共に前記ピン状係止部の基端側に枢支され前記鉤状係止部とピン状係止部の係止状態において両者を覆うと共に前記一端部側に係着されるカバー状部材を有する第２の係止部とを設けることを特徴とする紐状体の止め具。
【請求項２】
前記第１及び第２の係止部の全体又は前記カバー状部材が前記紐状体と同一の材料及び同色のものから形成されることを特徴とする請求項１に記載の紐状体の止め具。
【考案の詳細な説明】
【技術分野】
【０００１】
本考案は、止め具に係り、係着及び取り外しが極めて容易であり取り外し時においても指や爪等を傷めることなく外観美に優れる紐状体の止め具に関する。
【背景技術】
【０００２】
止め具としては極めて多数の公知技術があり、ブレスレットやネックレスのような紐状体の止め具についても多くの公知技術がある。その止め具の内、止め外しの煩わしさのないものとして、例えば、「特許文献１」が挙げられる
【特許文献１】特開平１０−４２９２０号（図１）
【考案の開示】
【考案が解決しようとする課題】
【０００３】
前記「特許文献１」の特開平１０−４２９２０号の「ネックレス及びブレスレット用止め具」は、うず巻きばねを内蔵する形成のものからなり、係止も引き出し動作と同調して行われ、取り外しも指圧動作によってできるものであるが、構造が複雑で多くの部材を必要とし高価なものとなると共にネックレス等の本体との一体感がなく、外観美においても違和感のある問題点がある。
また、この公知技術と別の一般の止め具としては、仮りに装着作業が容易であっても取り外し時には爪等による係止が必要のものが多く、取り外し時に爪等を傷め、場合により傷が生ずる問題点がある。また、前記の公知技術を含めて一般の係止具は止め具の装着される本体側（紐状体）との一体感がなく、外観美において劣る問題点がある。
【０００４】
本考案は、以上の問題点を解決するものであり、係着及び取り外し、特に取り外しが極めて容易であり、爪等を傷めることなく本体側との一体感もあり美観に優れる紐状体の止め具を提供することを目的とする。
【課題を解決するための手段】
【０００５】
本考案は、前記目的を達成するために、請求項１の考案は、ブレスレットやネックレスのような紐状体の止め具であって、該止め具は前記紐状体の一端部に基端側を枢支され先端側に鉤状係止部を形成する第１の係止部と、前記紐状体の他端部に基端側を枢支され先端側に前記鉤状係止部に係止するピン状係止部を有すると共に前記ピン状係止部の基端側に枢支され前記鉤状係止部とピン状係止部の係止状態において両者を覆うと共に前記一端部側に係着されるカバー状部材を有する第２の係止部とを設けることを特徴とする。
【０００６】
また、請求項２の考案は、前記第１及び第２の係止部の全体又は前記カバー状部材が前記紐状体と同一の材料及び同色のものから形成されることを特徴とする。
【考案の効果】
【０００７】
本考案の請求項１の紐状体の止め具によれば、止め具の係着は第１の係止部と第２の係止部のピン状係止部を係着し、カバー状部材を倒して係着部を覆うと共に指の押圧で一端側に係着するだけでよく、容易にできると共に、取り外し時には前記紐状体を内側から指で押だけでよく、爪等を用いることなく極めて容易に、かつ安全にできる。
【０００８】
また、請求項２の紐状体の止め具によれば、第１及び第２の係止部又は少なくともカバー状部材が紐状体の本体側と同一材料及び同一色に形成されているため全体として一体感があり、外観美に優れる効果を上げることができる。
【考案を実施するための最良の形態】
【０００９】
以下、本考案の紐状体の止め具が実施の形態を図面を参照して詳述する。図１は本考案の紐状体の止め具の構成要素を示す斜視図であり、図２（ａ），（ｂ）紐状体の止め具の第１の係止部及び第２の係止部の構造を示す側面図であり、図３（ａ），（ｂ）は第１の係止部と第２の係止部の係止状態を示す上面図及び側面図である。
【００１０】
図１に示すように、本考案の紐状体の止め具１は紐状体２の一端部に基端側を枢支され先端側に鉤状係止部５を有する第１の係止部３と、紐状体２の他端部にその基端側を枢支される第２の係止部４とからなり、第２の係止部４は鉤状係止部５に着脱自在に係着するピン状係止部６とカバー状部材７等とからなる。
【００１１】
図１乃至図３に示すように第１の係止部３は、紐状体２にその基端部を枢支される第１の係止部本体３ａと、この第１の係止部本体３ａの先端側にピン８により基端部をやや回動可能に支持される鉤状係止部５とからなる。鉤状係止部５は本実施例ではコ字状に曲げられた屈曲部５ａを形成するものからなる。また、屈曲部５ａの巾寸法は第１の係止部３のその他の部分の巾寸法よりも小寸のものからなる。また、第１の係止部３の外観は紐状体２の外観とほぼ同様の形態のものからなる。
【００１２】
一方、第２の係止部４は、前記のように紐状体にその基端部を枢支されるピン状係止部６とこれに基端部をピン９により枢支されるカバー状部材７からなる。詳細構造としてピン状係止部６は紐状体２に基端部と枢支されるピン状係止部本体６ａと、この先端側の空間切り込み部１０に架設されるピン６ｂからなる。なお、ピン６ｂは第１の係止部３の鉤状係止部５の屈曲部５ａに係止可能の寸法のものからなる。
カバー状部材７は第１の係止部３やピン状係止部６に嵌まり込み可能はコ字状に曲げられた内面形状をするものからなり、前記のようにピン状係止部６にピン９によりその基端側を枢支されるものからなり図３に示すように、第１の係止部３の鉤状係止部５の屈曲部５ａにピン状係止部本体６ａのピン６ｂが係着した状態でこれ等全体を覆う形状のものからなる。また、第２の係止部４の外観も紐状体２と外観と違和感のない形態のものからなる。
【００１３】
次に、本考案の紐状体の止め具１の取り付け及び取り外し作用を説明する。なお、紐状体２としては本実施例ではブレスレット２ａを採用したが、ネックレスやその他の紐状体にも適用されることは勿論である。
【００１４】
まず、ブレスレット２ａを手首に巻き、第１の係止部３の鉤状係止部５の屈曲部５ａに第２の係止部４のピン６ｂを係着する。次に、開放状態にあったカバー状部材７を第１の係止部３側に回動し、押圧して第１の係止部３に嵌め込む。これにより、取り付け作用は終了する。
【００１５】
取り外し作用としてはカバー状部材７の先端に爪を引っ掛けてこれを回動してもよいが、この作用では爪を傷めて好ましくない。本考案では、第１の係止部３や第２の係止部４の内面側に指を差し込み指でこれ等を内面から押圧することにカバー状部材７が開放方向に回動する。次に、ピン状係止部本体６ちを指で挟み屈曲部５ａに係着しているピン６ｂを外す。これにより取り外し可能の状態となる。
【００１６】
第１の係止部３及び第２の係止部４を係着し、カバー状部材６でこれ等を覆った状態ではブレスレット２ａ側とほぼ同一の外観形態のものからなり、係着場所も外観側からは認識できず、止め具として違和感もなく外観として美感を有するものからなる。即ち、ブレスレットとしては装飾性を損うことはない。
【産業上の利用分野】
【００１７】
本考案の紐状体の止め具はブレスレットやネックレスのような装飾性を重んじた紐状体に適用されるのみならず、その他紐状体に対しても勿論適用され、その利用分野は広い。
【図面の簡単な説明】
【００１８】
【図１】本考案の紐状体の止め具の全体構造を示す斜視図。
【図２】本考案の紐状体の止め具の第１の係止部の側面図（ａ）及び第２の係止部の側面図（ａ）。
【図３】本考案の紐状体の止め具の取り付け状態を示す上面図（ａ）及び側面図（ｂ）。
【符号の説明】
【００１９】
１    紐状体の止め具
２    紐状体
２ａ  ブレスレット
３    第１の係止部
３ａ  第１の係止部本体
４    第２の係止部
５    鉤状係止部
５ａ  屈曲部
６    ピン状係止部
６ａ  ピン状係止部本体
６ｂ  ピン
７    カバー状係止部
８    ピン
９    ピン
１０  空間切り込み部
【図１】
0003122790.tif 000003
【図２】
0003122790.tif 000004
【図３】
0003122790.tif 000005